(57)【要約】      （修正有）【課題】簡単な構造で、装着・取り外しも簡単で、しかも長日月にわたって的確にこの弾性保護部材を側枠に係止できる立看板保護カバー用クリップを提供する。【解決手段】内側に湾曲して凹入した部分円弧を呈する天板２と、この天板２の両端部から、天板に直交する方向に先端ほど互いに近寄るように、一体に連設された挟持板３と、この挟持板３の先端には互いに対峙する挟持板３に向かって一体に突設された掛かり止め鉤４が設けられ、挟持板３は互いに対峙する相手側に向かって湾曲して凹入された部分円弧を呈する。【選択図】図１
0003186730.tif 000002
【実用新案登録請求の範囲】
【請求項１】
内側に湾曲して凹入した部分円弧を呈する天板と、この天板の両端部全体から長手方向に対して直行方向にそれぞれ内方向に、先端ほど互いに近寄るように、一体に連設された挟持板とが設けられ、前記挟持板は互いに対峙する相手側に向かって湾曲して凹入された部分円弧を呈するように構成されていることを特徴とする立看板保護カバー用クリップ。
【請求項２】
天板は、その両端部間の中央が凹入された部分円弧を呈するか、両端部間の中央部分を境にして、この中央部分の両側がそれぞれ凹入された部分円弧を呈するかのいずれかである請求項１記載の立看板保護カバー用クリップ。
【請求項３】
挟持板は、天板の連設部から先端に至る中央が、互いに対峙する相手側に向かって湾曲して凹入された部分円弧を呈するか、天板の連設部から先端に至る中央部分を境にして、この中央部分の両側がそれぞれ互いに対峙する相手側に向かって湾曲して凹入された部分円弧を呈するかのいずれかである請求項１〜２のいずれかに記載の立看板保護カバー用クリップ。
【請求項４】
両挟持板は、その先端に互いに対峙する挟持板に向かって一体に突設された掛かり止め鉤が設けられている請求項１〜３のいずれかに記載の立看板保護カバー用クリップ。
【請求項５】
天板に挟持板が連なるコーナー部は内外面共にアールに形成されている請求項１〜４のいずれかに記載の立看板保護カバー用クリップ。
【考案の詳細な説明】
【技術分野】
【０００１】
本考案は、立看板の周囲の側枠を覆って安全性を確保する保護カバー用の係止用クリップに関する。
【背景技術】
【０００２】
立看板は、人の往来の激しい場所などにも良く設置されているが、強い風に煽られたりして、不用意に転倒したり、吹き飛ばされたりして，大変危険である。また、歩行者などが時として接触したりして傷つく恐れもあった。特に側枠が金属製である場合には、一層注意が必要となる。
【０００３】
そこで従来は、これらの危険を排除するために、例えば特許文献１（特開２０１１−５９６３４号公報）に示されるような、側枠の周囲を、例えば発泡ポリエチレン樹脂を素材にした肉厚の弾性保護部材で囲繞することによって、たとえ人に接触したとしても、また他の器物に接触したとしても、怪我や、損壊の発生を少なくするようにしていた。
【０００４】
しかし、この提案品や市販品は、単に弾性保護部材を側枠に被せただけであるから、ともするとこの保護部材が強風によって飛ばされたり、側枠から剥がされたりして、本来の保護機能を十分に発揮していないきらいがある。
【０００５】
そこで、針金や粘着テープを用いて、この弾性保護部材を看板自体に係止する手段もとられているが、見た目も悪く、また、いちいち針金や粘着テープで繋止する作業が面倒であり、また、粘着テープでは日光や風雨に晒されて早期の内に固定できなくなってしまうおそれもあった。
【考案の概要】
【考案が解決しようとする課題】
【０００６】
本考案は、上記従来技術の問題点を解決するために研究開発されたもので、本考案の目的は、簡単な構造で、装着・取り外しも簡単で、しかも長日月にわたって的確にこの弾性保護部材を側枠に係止できる立看板保護カバー用クリップを提供することである。
【課題を解決するための手段】
【０００７】
上記の目的を達成するために本考案の請求項１に記載の立看板保護カバー用クリップは、内側に湾曲して凹入した部分円弧を呈する天板と、この天板の両端部全体から長手方向に対して直行方向にそれぞれ内方向に、先端ほど互いに近寄るように、一体に連設された挟持板とが設けられ、前記挟持板は互いに対峙する相手側に向かって湾曲して凹入された部分円弧を呈するように構成されている。
【０００８】
本考案に係る立看板保護カバー用クリップは、立看板の上側と左右両側に適宜の間隔を置いた複数個所に、弾性保護部材の外側から挿し込んで、側枠との間でこの弾性保護部材を挟持する。
更に具体的には、天板並びに挟持板の湾曲によって得られるより強力な弾性復元力に抗して、両挟持板の先端を、立看板の側枠に嵌め込まれている弾性保護部材の前後寸法よりも広く拡開し、この状態で、弾性保護部材の側部側から、両挟持板の一方が看板の前面側に、他方が背面側に位置するようにして、挟み込む。引き続き天板が弾性保護部材の側部表面に接当するまで押し込んで取り付けを完了するが、弾性保護部材はこのクリップの弾性復元力によって強力に看板側枠に係止される。
【考案の効果】
【０００９】
上記のように構成された立看板保護カバー用クリップは、天板と一対の挟持板とからなる簡単な構造でありながら、弾性保護部材を単に外側から挟み込むといった簡単な作業で、強力な挟持力によって弾性保護部材を側枠に的確にしかも長日月にわたってしっかりと係止でき、安全な立看板を提供できる。また、弾性保護部材を側枠から取り外すにあたっても、このクリップを単に側方へ引き抜けば良く、簡単にクリップによる係止が解除できる。併せて、従来と違って、針金や粘着テープなどを用いる必要もないので、外観も長日月にわたって美麗に保たれる。
【００１０】
以上の構成において、本考案に係る立看板保護カバー用クリップは、請求項２に記載のように、天板は、その両端部間の中央が凹入された部分円弧を呈するか、両端部間の中央部分を境にして、この中央部分の両側がそれぞれ凹入された部分円弧を呈するかのいずれかであるのが望ましい。
クリップの挟持力を高めて、より強力な弾性保護部材の側枠への係止を可能にし、より安全な立看板を提供できるからである。
【００１１】
更に、請求項３に記載のように、挟持板は、天板の連設部から先端に至る中央が互いに対峙する相手側に向かって湾曲して凹入された部分円弧を呈するか、天板の連設部から先端に至る中央部分を境にして、この中央部分の両側がそれぞれ互いに対峙する相手側に向かって湾曲して凹入された部分円弧を呈するかのいずれかであるのが望ましい。
天板の湾曲構造と相俟って、クリップの挟持力を一層高めて、より強力な弾性保護部材の側枠への係止を可能にし、より安全な立看板を提供できるからである。
【００１２】
また、請求項４に記載のように、両挟持板は、その先端に互いに対峙する挟持板に向かって一体に突設された掛かり止め鉤が設けられているのが望ましい。
掛かり止め鉤が弾性保護部材の前・背面の内側側縁よりも更に奥側に移行すると、この掛かり止め鉤が弾性保護部材の前・背面の内側側縁から外れるので、この挟持板はその弾性復元力によって間隔が狭められることになり、掛かり止め鉤が弾性保護部材の前・背面の内側側縁から内方に入り込み、ここに係止されることになる。その結果、弾性保護部材はこのクリップの弾性復元力によって強力に看板側枠に係止され、また、掛かり止め鉤が弾性保護部材の前・背面の内側面に引っ掛かりその係止姿勢を確実に保されるので、弾性保護部材の係止を一層確実なものにして、より安全な立看板を提供できるからである。
【００１３】
更に、請求項５に記載のように、天板に挟持板が連なる両端のコーナー部は内外面共にアールに形成されているのが望ましい。
挟持板の拡開時に天板と挟持板とのコーナー部に掛かる集中応力を、直角や鋭角なコーナー部と違って、ピンポイントで負荷することなく、上手く分散させることができ、この部位に早期に亀裂が入ったりするおそれを未然にうまく防止でき、やはり、長日月にわたってしっかりと弾性保護部材の係止を可能にし、より一層安全な立看板を提供できるからである。
【図面の簡単な説明】
【００１４】
【図１】本考案に係る立看板保護カバー用クリップを示し、全体の説明斜視図である。
【図２】図１に示す立看板保護カバー用クリップを立看板経の取付けた状態を示す一部切欠き部分斜視図である。
【図３】図２に示す取り付け状態を拡大して示す断面図である。
【図４】別の構成を示す全体の説明斜視図である。
【考案を実施するための形態】
【００１５】
以下、本考案の実施例を説明する。
図１は本考案に係る立看板保護カバー用クリップを示し、全体の説明斜視図で、このクリップ１は、基本的には天板２とその両端部から一体に連設された挟持板３とから構成される。素材は塩化ビニールが採用され、一体成型される。
【００１６】
天板２はその両端部間を、中央ほど内側に湾曲した部分円弧形状に、凹入させて形成されている。
また、挟持板３は、この天板２の両端部全体から当該天板２の長手方向に対して直行方向にそれぞれ内方向に、先端ほど互いに近寄るように、一体に連設され、しかも互いに対峙する相手側に向かって、その前記天板２の連設部から先端に至る中間が対峙する相手側に向かって近づくように湾曲した部分円弧形状に、凹入されて形成されている。また、この挟持板３先端には互いに対峙する挟持板３に向かって一体に突設された掛かり止め鉤４が設けられ、この掛かり止め鉤４の天板２側には、弾性保護部材（後述）との係止を確実にするための、天板面とほぼ平行な係止面４Ａが備わっている。
【００１７】
また、天板２と両挟持板３との連設部であるコーナー部分５は、その内外両面共にアール（円弧）に形成されている。
直角若しくは鋭角に連設されていると、クリップ１を立看板６に装着するに当たって、挟持板３を外方へ拡開した時に、その曲げ応力がピンポイントでこのコーナー部分５に負荷されて、早期の内に亀裂を生じさせてしまい、破壊されるのに反して、この曲げ応力を拡散でき、早期の破壊を上手く防止できるようにするためである。
【００１８】
前記天板２の両端部間の内法は、立看板６の側枠７の表裏間の肉厚に弾性保護部材８の肉厚の２倍の寸法を加えた寸法よりもやや短めに形成されている。また、挟持板３の全長、つまり天板２との連設部から先端の前記掛かり止め鉤４の前記係止面４Ａまでの寸法は、立看板６の側枠７の左右の肉厚に弾性保護部材８の肉厚の２倍の寸法を加えた寸法よりもやや短めに形成されている。共に、弾性保護部材８をやや圧縮させる程度の寸法設定がなされている。更に、挟持板３の先端間の拡開寸法は、この天板２のほぼ２分の１程度に形成されている。但し、この挟持板３の先端間の拡開寸法は、必要に応じて、広狭適宜に設定される。尚、図２、３中、符号６Ａで示される部位は、立看板６の盤面である。
【００１９】
このように構成された本考案に係る立看板保護カバー用クリップは、図２に示すように、天板２並びに挟持板３の湾曲によって得られるより強力な弾性復元力に抗して、両挟持板３の先端を、立看板６の側枠７に嵌め込まれている弾性保護部材８の一例としての保護カバーの前後寸法よりも広く拡開し、この状態で、弾性保護部材８の側部側から、両挟持板３の一方が立看板６の前面側に、他方が背面側に位置するようにして、挟み込む。引き続き天板２が弾性保護部材８の側部表面に接当するまで押し込み、また、前記掛かり止め鉤４の前記係止面４Ａが弾性保護部材８の前面並びに背面の角縁から内側側縁８Ａに入り込んで、ここに係止されることで取り付けを完了する（図３参照）。弾性保護部材８はこのクリップ１の弾性復元力によって強力に立看板６の側枠７に押圧されてその取付け姿勢が保たれる。クリップ１は側枠７の長手方向にわたって所定間隔で複数個係止される。
尚、この場合、前記掛かり止め鉤４はその係止面４Ａによってしっかりと弾性保護部材８に係止されるために、この掛かり止め鉤４の弾性保護部材８からの脱落を確実に阻止でき、長日月にわたって弾性保護部材８を側枠７に上手く係止することが出来る。
【００２０】
次に、図４に示す構造は、図１, ２に示したものの変形例で、前記天板２並びに挟持板３に形成された湾曲構造の改良に係るもので、具体的な構造は以下の通りである。
即ち、天板２は、その両端部間の中央部分２Ａを境にして、この中央部分２Ａの両側がそれぞれ湾曲して凹入された部分円弧２Ｂ、２Ｂを呈している。従って、前記中央部分２Ａは幅方向（図上、上下方向）の全長にわたって、外方へ隆起する山になっている。
【００２１】
また、挟持板３も、天板の連設部から先端に至る中央部分３Ａを境にして、この中央部３Ａの両側がそれぞれ互いに対峙する相手側に向かって湾曲して凹入された部分円弧３Ｂ、３Ｂを呈をしている。従って、前記中央部分３Ａは幅方向（図上、上下方向）の全長にわたって、外方へ隆起する山になっている。
【００２２】
尚、掛かり止め鉤４並びにコーナー部分５の構造は、図１〜３に示した構成と同様であるので、同じ符号を付して、詳細な説明は省略する。
【００２３】
このように、図４に示したような、天板 2と挟持板３の夫々に湾曲して凹入された二つの部分円弧２Ｂ、２Ｂ、３Ｂ、３Ｂを備えさせることによって、天板２並びに挟持板３の強度アップを図ることができ、その結果、クリップ１の弾性復元力を一層高めることができ、クリップ効果を一層上手く発揮できるのである。
【００２４】
尚、この湾曲して凹入された二つの部分円弧２Ｂ、２Ｂ、３Ｂ、３Ｂは、図例では、天板２並びに挟持板３の何れにも設けた構成を示したが、必要に応じて、天板２のみ或いは挟持板３のみに設けられる構成も採用できる。その場合、この湾曲して凹入された二つの部分円弧を設けなかった天板２或いは挟持板３は、図１に示す、湾曲して凹入された部分円弧が一つである構成をを採用すればよい。何れを採用するにしても、天板２並びに挟持板３が少なくとも一つの凹入した部分円弧を備えることは必須の要件である。
【００２５】
また、本考案に係る立看板保護カバー用クリップ１は、塩化ビニール樹脂を素材にした例を示したが、この考案の所期の目的を逸脱しない範囲であれば、必要に応じて、その素材は他の樹脂や金属に置き換えて作成されても良い。
【符号の説明】
【００２６】
１…クリップ
２…天板
２Ａ…中央部分
２Ｂ…部分円弧
３…挟持板ング
３Ａ…中央部分
３Ｂ…部分円弧
４…掛かり止め鉤４
５…コーナー部分
６…立看板
７…側枠
８…弾性保護部材
【先行技術文献】
【特許文献】
【００２７】
【特許文献１】特開２０１１−５９６３４号公報
【図１】
0003186730.tif 000003
【図２】
0003186730.tif 000004
【図３】
0003186730.tif 000005
【図４】
0003186730.tif 000006
【手続補正書】
【提出日】平成25年8月20日(2013.8.20)
【手続補正１】
【補正対象書類名】明細書
【補正対象項目名】全文
【補正方法】変更
【補正の内容】
【考案の詳細な説明】
【技術分野】
【０００１】
本考案は、立看板の周囲の側枠を覆って安全性を確保する保護カバー用の係止用クリップに関する。
【背景技術】
【０００２】
立看板は、人の往来の激しい場所などにも良く設置されているが、強い風に煽られたりして、不用意に転倒したり、吹き飛ばされたりして，大変危険である。また、歩行者などが時として接触したりして傷つく恐れもあった。特に側枠が金属製である場合には、一層注意が必要となる。
【０００３】
そこで従来は、これらの危険を排除するために、例えば特許文献１（特開２０１１−５９６３４号公報）に示されるような、側枠の周囲を、例えば発泡ポリエチレン樹脂を素材にした肉厚の弾性保護部材で囲繞することによって、たとえ人に接触したとしても、また他の器物に接触したとしても、怪我や、損壊の発生を少なくするようにしていた。
【０００４】
しかし、この提案品や市販品は、単に弾性保護部材を側枠に被せただけであるから、ともするとこの保護部材が強風によって飛ばされたり、側枠から剥がされたりして、本来の保護機能を十分に発揮していないきらいがある。
【０００５】
そこで、針金や粘着テープを用いて、この弾性保護部材を看板自体に係止する手段もとられているが、見た目も悪く、また、いちいち針金や粘着テープで繋止する作業が面倒であり、また、粘着テープでは日光や風雨に晒されて早期の内に固定できなくなってしまうおそれもあった。
【考案の概要】
【考案が解決しようとする課題】
【０００６】
本考案は、上記従来技術の問題点を解決するために研究開発されたもので、本考案の目的は、簡単な構造で、装着・取り外しも簡単で、しかも長日月にわたって的確にこの弾性
保護部材を側枠に係止できる立看板保護カバー用クリップを提供することである。
【課題を解決するための手段】
【０００７】
上記の目的を達成するために本考案の請求項１に記載の立看板保護カバー用クリップは、内側に湾曲して凹入した部分円弧を呈する天板と、この天板の両端部から、天板に直交する方向に、先端ほど互いに近寄るように、一体に連設された挟持板とが設けられ、前記挟持板は互いに対峙する相手側に向かって湾曲して凹入された部分円弧を呈するように構成されている。
【０００８】
本考案に係る立看板保護カバー用クリップは、立看板の上側と左右両側に適宜の間隔を置いた複数個所に、弾性保護部材の外側から挿し込んで、側枠との間でこの弾性保護部材を挟持する。
更に具体的には、天板並びに挟持板の湾曲によって得られるより強力な弾性復元力に抗して、両挟持板の先端を、立看板の側枠に嵌め込まれている弾性保護部材の前後寸法よりも広く拡開し、この状態で、弾性保護部材の側部側から、両挟持板の一方が看板の前面側に、他方が背面側に位置するようにして、挟み込む。引き続き天板が弾性保護部材の側部表面に接当するまで押し込んで取り付けを完了するが、弾性保護部材はこのクリップの弾性復元力によって強力に看板側枠に係止される。
【考案の効果】
【０００９】
上記のように構成された立看板保護カバー用クリップは、天板と一対の挟持板とからなる簡単な構造でありながら、弾性保護部材を単に外側から挟み込むといった簡単な作業で、強力な挟持力によって弾性保護部材を側枠に的確にしかも長日月にわたってしっかりと係止でき、安全な立看板を提供できる。また、弾性保護部材を側枠から取り外すにあたっても、このクリップを単に側方へ引き抜けば良く、簡単にクリップによる係止が解除できる。併せて、従来と違って、針金や粘着テープなどを用いる必要もないので、外観も長日月にわたって美麗に保たれる。
【００１０】
以上の構成において、本考案に係る立看板保護カバー用クリップは、請求項２に記載のように、天板は、その両端部間の中央が凹入された部分円弧を呈するか、両端部間の中央部分を境にして、この中央部分の両側がそれぞれ凹入された部分円弧を呈するかのいずれかであるのが望ましい。
クリップの挟持力を高めて、より強力な弾性保護部材の側枠への係止を可能にし、より安全な立看板を提供できるからである。
【００１１】
更に、請求項３に記載のように、挟持板は、天板の連設部から先端に至る中央が互いに対峙する相手側に向かって湾曲して凹入された部分円弧を呈するか、天板の連設部から先端に至る中央部分を境にして、この中央部分の両側がそれぞれ互いに対峙する相手側に向かって湾曲して凹入された部分円弧を呈するかのいずれかであるのが望ましい。
天板の湾曲構造と相俟って、クリップの挟持力を一層高めて、より強力な弾性保護部材の側枠への係止を可能にし、より安全な立看板を提供できるからである。
【００１２】
また、請求項４に記載のように、両挟持板は、その先端に互いに対峙する挟持板に向かって一体に突設された掛かり止め鉤が設けられているのが望ましい。
掛かり止め鉤が弾性保護部材の前・背面の内側側縁よりも更に奥側に移行すると、この掛かり止め鉤が弾性保護部材の前・背面の内側側縁から外れるので、この挟持板はその弾性復元力によって間隔が狭められることになり、掛かり止め鉤が弾性保護部材の前・背面の内側側縁から内方に入り込み、ここに係止されることになる。その結果、弾性保護部材はこのクリップの弾性復元力によって強力に看板側枠に係止され、また、掛かり止め鉤が弾性保護部材の前・背面の内側面に引っ掛かりその係止姿勢を確実に保されるので、弾性
保護部材の係止を一層確実なものにして、より安全な立看板を提供できるからである。
【００１３】
更に、請求項５に記載のように、天板に挟持板が連なる両端のコーナー部は内外面共にアールに形成されているのが望ましい。
挟持板の拡開時に天板と挟持板とのコーナー部に掛かる集中応力を、直角や鋭角なコーナー部と違って、ピンポイントで負荷することなく、上手く分散させることができ、この部位に早期に亀裂が入ったりするおそれを未然にうまく防止でき、やはり、長日月にわたってしっかりと弾性保護部材の係止を可能にし、より一層安全な立看板を提供できるからである。
【図面の簡単な説明】
【００１４】
【図１】本考案に係る立看板保護カバー用クリップを示し、全体の説明斜視図である。
【図２】図１に示す立看板保護カバー用クリップを立看板経の取付けた状態を示す一部切欠き部分斜視図である。
【図３】図２に示す取り付け状態を拡大して示す断面図である。
【図４】別の構成を示す全体の説明斜視図である。
【考案を実施するための形態】
【００１５】
以下、本考案の実施例を説明する。
図１は本考案に係る立看板保護カバー用クリップを示し、全体の説明斜視図で、このクリップ１は、基本的には天板２とその両端部から一体に連設された挟持板３とから構成される。素材は塩化ビニールが採用され、一体成型される。
【００１６】
天板２はその両端部間を、中央ほど内側に湾曲した部分円弧形状に、凹入させて形成されている。
また、挟持板３は、この天板２の両端部から当該天板２に直交する方向に、先端ほど互いに近寄るように、一体に連設され、しかも互いに対峙する相手側に向かって、その前記天板２の連設部から先端に至る中間が対峙する相手側に向かって近づくように湾曲した部分円弧形状に、凹入されて形成されている。また、この挟持板３先端には互いに対峙する挟持板３に向かって一体に突設された掛かり止め鉤４が設けられ、この掛かり止め鉤４の天板２側には、弾性保護部材（後述）との係止を確実にするための、天板面とほぼ平行な係止面４Ａが備わっている。
【００１７】
また、天板２と両挟持板３との連設部であるコーナー部分５は、その内外両面共にアール（円弧）に形成されている。
直角若しくは鋭角に連設されていると、クリップ１を立看板６に装着するに当たって、挟持板３を外方へ拡開した時に、その曲げ応力がピンポイントでこのコーナー部分５に負荷されて、早期の内に亀裂を生じさせてしまい、破壊されるのに反して、この曲げ応力を拡散でき、早期の破壊を上手く防止できるようにするためである。
【００１８】
前記天板２の両端部間の内法は、立看板６の側枠７の表裏間の肉厚に弾性保護部材８の肉厚の２倍の寸法を加えた寸法よりもやや短めに形成されている。また、挟持板３の全長、つまり天板２との連設部から先端の前記掛かり止め鉤４の前記係止面４Ａまでの寸法は、立看板６の側枠７の左右の肉厚に弾性保護部材８の肉厚の２倍の寸法を加えた寸法よりもやや短めに形成されている。共に、弾性保護部材８をやや圧縮させる程度の寸法設定がなされている。更に、挟持板３の先端間の拡開寸法は、この天板２のほぼ２分の１程度に
形成されている。但し、この挟持板３の先端間の拡開寸法は、必要に応じて、広狭適宜に設定される。尚、図２、３中、符号６Ａで示される部位は、立看板６の盤面である。
【００１９】
このように構成された本考案に係る立看板保護カバー用クリップは、図２に示すように、天板２並びに挟持板３の湾曲によって得られるより強力な弾性復元力に抗して、両挟持板３の先端を、立看板６の側枠７に嵌め込まれている弾性保護部材８の一例としての保護カバーの前後寸法よりも広く拡開し、この状態で、弾性保護部材８の側部側から、両挟持板３の一方が立看板６の前面側に、他方が背面側に位置するようにして、挟み込む。引き続き天板２が弾性保護部材８の側部表面に接当するまで押し込み、また、前記掛かり止め鉤４の前記係止面４Ａが弾性保護部材８の前面並びに背面の角縁から内側側縁８Ａに入り込んで、ここに係止されることで取り付けを完了する（図３参照）。弾性保護部材８はこのクリップ１の弾性復元力によって強力に立看板６の側枠７に押圧されてその取付け姿勢が保たれる。クリップ１は側枠７の長手方向にわたって所定間隔で複数個係止される。
尚、この場合、前記掛かり止め鉤４はその係止面４Ａによってしっかりと弾性保護部材８に係止されるために、この掛かり止め鉤４の弾性保護部材８からの脱落を確実に阻止でき、長日月にわたって弾性保護部材８を側枠７に上手く係止することが出来る。
【００２０】
次に、図４に示す構造は、図１, ２に示したものの変形例で、前記天板２並びに挟持板３に形成された湾曲構造の改良に係るもので、具体的な構造は以下の通りである。
即ち、天板２は、その両端部間の中央部分２Ａを境にして、この中央部分２Ａの両側がそれぞれ湾曲して凹入された部分円弧２Ｂ、２Ｂを呈している。従って、前記中央部分２Ａは幅方向（図上、上下方向）の全長にわたって、外方へ隆起する山になっている。
【００２１】
また、挟持板３も、天板の連設部から先端に至る中央部分３Ａを境にして、この中央部３Ａの両側がそれぞれ互いに対峙する相手側に向かって湾曲して凹入された部分円弧３Ｂ、３Ｂを呈をしている。従って、前記中央部分３Ａは幅方向（図上、上下方向）の全長にわたって、外方へ隆起する山になっている。
【００２２】
尚、掛かり止め鉤４並びにコーナー部分５の構造は、図１〜３に示した構成と同様であるので、同じ符号を付して、詳細な説明は省略する。
【００２３】
このように、図４に示したような、天板 2と挟持板３の夫々に湾曲して凹入された二つの部分円弧２Ｂ、２Ｂ、３Ｂ、３Ｂを備えさせることによって、天板２並びに挟持板３の強度アップを図ることができ、その結果、クリップ１の弾性復元力を一層高めることができ、クリップ効果を一層上手く発揮できるのである。
【００２４】
尚、この湾曲して凹入された二つの部分円弧２Ｂ、２Ｂ、３Ｂ、３Ｂは、図例では、天板２並びに挟持板３の何れにも設けた構成を示したが、必要に応じて、天板２のみ或いは挟持板３のみに設けられる構成も採用できる。その場合、この湾曲して凹入された二つの部分円弧を設けなかった天板２或いは挟持板３は、図１に示す、湾曲して凹入された部分円弧が一つである構成をを採用すればよい。何れを採用するにしても、天板２並びに挟持板３が少なくとも一つの凹入した部分円弧を備えることは必須の要件である。
【００２５】
また、本考案に係る立看板保護カバー用クリップ１は、塩化ビニール樹脂を素材にした例を示したが、この考案の所期の目的を逸脱しない範囲であれば、必要に応じて、その素材は他の樹脂や金属に置き換えて作成されても良い。
【符号の説明】
【００２６】
１…クリップ
２…天板
２Ａ…中央部分
２Ｂ…部分円弧
３…挟持板ング
３Ａ…中央部分
３Ｂ…部分円弧
４…掛かり止め鉤４
５…コーナー部分
６…立看板
７…側枠
８…弾性保護部材
【先行技術文献】
【特許文献】
【００２７】
【特許文献１】特開２０１１−５９６３４号公報
【手続補正２】
【補正対象書類名】実用新案登録請求の範囲
【補正対象項目名】全文
【補正方法】変更
【補正の内容】
【実用新案登録請求の範囲】
【請求項１】
内側に湾曲して凹入した部分円弧を呈する天板と、この天板の両端部から、天板に直交する方向に、先端ほど互いに近寄るように、一体に連設された挟持板とが設けられ、前記挟持板は互いに対峙する相手側に向かって湾曲して凹入された部分円弧を呈するように構成されていることを特徴とする立看板保護カバー用クリップ。
【請求項２】
天板は、その両端部間の中央が凹入された部分円弧を呈するか、両端部間の中央部分を境にして、この中央部分の両側がそれぞれ凹入された部分円弧を呈するかのいずれかである請求項１記載の立看板保護カバー用クリップ。
【請求項３】
挟持板は、天板の連設部から先端に至る中央が、互いに対峙する相手側に向かって湾曲して凹入された部分円弧を呈するか、天板の連設部から先端に至る中央部分を境にして、この中央部分の両側がそれぞれ互いに対峙する相手側に向かって湾曲して凹入された部分円弧を呈するかのいずれかである請求項１〜２のいずれかに記載の立看板保護カバー用クリップ。
【請求項４】
両挟持板は、その先端に互いに対峙する挟持板に向かって一体に突設された掛かり止め鉤が設けられている請求項１〜３のいずれかに記載の立看板保護カバー用クリップ。
【請求項５】
天板に挟持板が連なるコーナー部は内外面共にアールに形成されている請求項１〜４のいずれかに記載の立看板保護カバー用クリップ。